(57)【要約】【課題】  同期再生のための時間情報に応じて動作し、１フレームに相当するデータの大きさが可変長である記録方式で記録媒体に記録されている動画と静止画を再生する再生装置において、動画再生が静止画から不連続にならずに映像や音声などのデータを再生することができるようにする。【解決手段】  同期再生のための時間情報に応じて動作し、１フレームに相当するデータの大きさが可変長である記録方式で記録媒体に記録されている動画と静止画を再生するにあたり、動画再生モードから静止画再生モードに遷移するときに、最後のバンクのデータを全て拾ってから、又は、最後のバンクを超えてから、記録媒体の駆動を停止又は逆駆動させる。【選択図】        図４
2006067505.tif 000002
【特許請求の範囲】
【請求項１】
同期再生のための時間情報に応じて動作し、１フレームに相当するデータの大きさが可変長である記録方式で記録媒体に記録されている動画と静止画を再生する再生装置における再生制御方法であって、
動画再生モードから静止画再生モードに遷移するときに、最後のバンクのデータを全て拾ってから、又は、最後のバンクを超えてから、記録媒体の駆動を停止又は逆駆動させることを特徴とする再生制御方法。
【請求項２】
同期再生のための時間情報に応じて動作し、１フレームに相当するデータの大きさが可変長である記録方式で記録媒体に記録されている動画と静止画を再生する再生装置における再生制御方法であって、
静止画再生モードから動画再生モードに遷移するときに、
再生方向とは逆方向に記録媒体を一旦巻き戻し、
記録媒体に記録された同期再生のための時間情報を読み出しながら、順方向への駆動を再開し、
助走前又は助走中に記録媒体から読み出した同期再生のための時間情報から復号時刻を算出し、その結果に応じて基準時間を巻き戻し、
助走前又は助走中に巻き戻した基準時間から計測を再開した基準時間と復号時刻とを比較した結果に基づいて再生データの供給を再開し、
助走前又は助走中に巻き戻した基準時間から計測を再開した基準時間をラッチし、基準時間と復号時刻と表示時刻とを比較した結果により、動画再生を再開することを特徴とする再生制御方法。
【請求項３】
同期再生のための時間情報に応じて動作し、１フレームに相当するデータの大きさが可変長である記録方式で記録媒体に記録されている動画と静止画を再生する再生装置であって、
動画再生モードから静止画再生モードに遷移するときに、最後のバンクのデータを全て拾ってから、又は、最後のバンクを超えてから、記録媒体の駆動を停止又は逆駆動させる制御を行う制御手段を備えることを特徴とする再生装置。
【請求項４】
同期再生のための時間情報に応じて動作し、１フレームに相当するデータの大きさが可変長である記録方式で記録媒体に記録されている動画と静止画を再生する再生装置であって、
記録媒体を順方向又は逆方向に駆動する駆動手段と、
上記駆動手段により駆動された記録媒体から得られる再生信号からデータを再生する再生処理手段と、
上記再生処理手段により再生された再生データを復号して出力する復号処理手段と、
これらの動作を制御する制御手段とを備え、
上記制御手段は、静止画再生モードから動画再生モードに遷移するときに、再生方向とは逆方向に記録媒体を一旦巻き戻し、記録媒体に記録された同期再生のための時間情報を読み出しながら、順方向への駆動を再開し、再生処理手段により助走前又は助走中に記録媒体から読み出した同期再生のための時間情報から復号時刻を算出し、その結果に応じて基準時間を巻き戻し、上記助走前又は助走中に巻き戻した基準時間から計測を再開した基準時間と復号時刻とを比較した結果に基づいて再生データの供給を再開し、復号処理手段により、上記助走前又は助走中に巻き戻した基準時間から計測を再開した基準時間をラッチし、基準時間と復号時刻と表示時刻とを比較した結果により、動画再生を再開する制御を行うことを特徴とする再生装置。
【発明の詳細な説明】
【技術分野】
【０００１】
本発明は、ビデオテープレコーダなど記録再生装置における再生制御方法及び再生装置に関する。
【背景技術】
【０００２】
テープ記録再生装置において、テープ駆動を停めて静止画再生し、次に動画再生するためにテープ駆動を再開すると、動画再生された画が、それまで再生していた静止画に対して不連続になることがあった。
【０００３】
上記の問題を解決するため、従来、テープ位置を単純に巻き戻し、そのテープ駆動距離とタイミングを制御してこれを解決していた（例えば、特許文献１参照）。
【０００４】
また、従来、ビデオデータなどを、例えば、ＨＤＶ方式により圧縮し、磁気テープに記録するためのフォーマットが、デジタルビデオテープレコーダのＨＤＶフォーマットとして規定されている。このフォーマットでは、ＭＰＥＧ−ＰＥＳ(Packtized Elementary Stream)のような１フレームの大きさが可変長のデータが磁気テープに記録される。（例えば、特許文献２参照）。
【０００５】
【特許文献１】特公平７−７５４１３号公報
【特許文献２】特開２００４−１６４７３１号公報
【発明の開示】
【発明が解決しようとする課題】
【０００６】
しかし、ビデオデータがＭＰＥＧ−ＰＥＳなどの１フレームに相当するデータの大きさが可変長である記録方式で磁気テープに記録されている場合は、テープ駆動距離と再生フレーム数が同じでないため、単純にテープの駆動距離とその駆動タイミングを制御するだけでは、上記の問題は解決できなかった。なぜなら、テープ位置を同じ距離だけ巻き戻しても、同じフレーム数巻き戻っているとは限らないからである。
【０００７】
そこで、本発明の目的は、上述の如き従来の問題点に鑑み、同期再生のための時間情報に応じて動作し、１フレームに相当するデータの大きさが可変長である記録方式で記録媒体に記録されている動画と静止画を再生する再生装置において、動画再生が静止画から不連続にならずに映像や音声などのデータを再生することができるようにすることにある。
【０００８】
本発明の更に他の目的、本発明によって得られる具体的な利点は、以下に説明される実施の形態の説明から一層明らかにされる。
【課題を解決するための手段】
【０００９】
本発明は、同期再生のための時間情報に応じて動作し、１フレームに相当するデータの大きさが可変長である記録方式で記録媒体に記録されている動画と静止画を再生する再生装置における再生制御方法であって、動画再生モードから静止画再生モードに遷移するときに、最後のバンクのデータを全て拾ってから、又は、最後のバンクを超えてから、記録媒体の駆動を停止又は逆駆動させることを特徴とする。
【００１０】
また、本発明は、同期再生のための時間情報に応じて動作し、１フレームに相当するデータの大きさが可変長である記録方式で記録媒体に記録されている動画と静止画を再生する再生装置における再生制御方法であって、静止画再生モードから動画再生モードに遷移するときに、再生方向とは逆方向に記録媒体を一旦巻き戻し、記録媒体に記録された同期再生のための時間情報を読み出しながら、順方向への駆動を再開し、助走前又は助走中に記録媒体から読み出した同期再生のための時間情報から復号時刻を算出し、その結果に応じて基準時間を巻き戻し、助走前又は助走中に巻き戻した基準時間から計測を再開した基準時間と復号時刻とを比較した結果に基づいて再生データの供給を再開し、助走前又は助走中に巻き戻した基準時間から計測を再開した基準時間をラッチし、基準時間と復号時刻と表示時刻とを比較した結果により、動画再生を再開することを特徴とする。
【００１１】
また、本発明は、同期再生のための時間情報に応じて動作し、１フレームに相当するデータの大きさが可変長である記録方式で記録媒体に記録されている動画と静止画を再生する再生装置であって、動画再生モードから静止画再生モードに遷移するときに、最後のバンクのデータを全て拾ってから、又は、最後のバンクを超えてから、記録媒体の駆動を停止又は逆駆動させる制御を行う制御手段を備えることを特徴とする。
【００１２】
また、本発明は、同期再生のための時間情報に応じて動作し、１フレームに相当するデータの大きさが可変長である記録方式で記録媒体に記録されている動画と静止画を再生する再生装置であって、記録媒体を順方向又は逆方向に駆動する駆動手段と、上記駆動手段により駆動された記録媒体から得られる再生信号からデータを再生する再生処理手段と、上記再生処理手段により再生された再生データを復号して出力する復号処理手段と、これら各手段の動作を制御する制御手段とを備え、上記制御手段は、静止画再生モードから動画再生モードに遷移するときに、再生方向とは逆方向に記録媒体を一旦巻き戻し、記録媒体に記録された同期再生のための時間情報を読み出しながら、順方向への駆動を再開し、再生処理手段により助走前又は助走中に記録媒体から読み出した同期再生のための時間情報から復号時刻を算出し、その結果に応じて基準時間を巻き戻し、上記助走前又は助走中に巻き戻した基準時間から計測を再開した基準時間と復号時刻とを比較した結果に基づいて再生データの供給を再開し、復号処理手段により、上記助走前又は助走中に巻き戻した基準時間から計測を再開した基準時間をラッチし、基準時間と復号時刻と表示時刻とを比較した結果により、動画再生を再開する制御を行うことを特徴とする。
【発明の効果】
【００１３】
本発明によれば、同期再生のための時間情報に応じて動作し、１フレームに相当するデータの大きさが可変長である記録方式で記録媒体に記録されている記録再生装置において、動画再生が静止画から不連続にならずに映像や音声などのデータを再生することができる。
【発明を実施するための最良の形態】
【００１４】
以下、本発明の実施の形態について、図面を参照して詳細に説明する。なお、本発明は以下の例に限定されるものではなく、本発明の要旨を逸脱しない範囲で、任意に変更可能であることは言うまでもない。
【００１５】
本発明は、例えば図１に示すような構成の再生装置１００に適用される。
【００１６】
この再生装置１００は、テープ駆動用メカデッキ部１０、上記テープ駆動用メカデッキ部１０から再生信号が供給される再生信号処理部２０、上記再生信号処理部２０により得られる再生データが供給される復号処理部３０、これら各部を制御するシステムコントローラ４０を備えてなる。
【００１７】
この再生装置１００において、テープ駆動用メカデッキ部１０は、磁気テープ５０を走行させるテープ走行系１１と上記磁気テープ５０上のトラックを走査する回転ヘッド１２を備え、上記テープ走行系１１により走行される磁気テープ５０を回転ヘッドで走査することにより再生信号を得て、得られた再生信号を再生信号処理部２０に供給する。
【００１８】
ここで、磁気テープには、ビデオデータが１フレームに相当するデータの大きさが可変長であるＭＰＥＧ−ＰＥＳデータとして図２に示すように記録されている。この図２は、Ｎ＝１５（１５ピクチャごとにＩピクチャが配置される）、Ｍ＝３（３ピクチャごとにＰピクチャが配置される）のＧＯＰ構造を有しているビデオデータの磁気テープ上での記録状態を表している。すなわち、１パックはＭ個（この場合３個）のピクチャデータと、そのピクチャに関連するＡＵＸデータ（ＡＵＸ−Ｖ：図２中のＵ）、そのピクチャに対応するオーディオデータ（図２中のＡ）、及び、そのオーディオデータに関連するＡＵＸデータ（ＡＵＸ−Ａ：図２中のＸ）から構成される。
【００１９】
上記ビデオデータは、例えば１６トラック分のデータを１単位とするＥＣＣ（Error Correcting Code）処理が施され、１６トラックごとの先頭トラックに、所定の情報が格納されたＥＣＣＴＢ（図２中のＨ）が配置されている。なお、ＥＣＣ処理の単位としての１６トラックごとの単位を、ＥＣＣバンクと呼ぶ。
【００２０】
また、この再生装置１００において、再生処理部２０は、ＥＣＣバンクメモリ２１、ビデオ遅延メモリ２２、ＳＴＣカウンタ２３、再生制御用マイクロコンピュータ２４などからなり、上記テープ駆動用メカデッキ部１０により得られた再生信号から上記ＥＣＣ処理の単位再生データが取り出されてＥＣＣバンクメモリ２１に書き込まれる。このＥＣＣバンクメモリ２１に取り込まれた上記ＥＣＣ処理の単位再生データは、誤り訂正処理が施されてビデオ遅延メモリ２２を介して、復号処理部３０に供給される。
【００２１】
さらに、この再生装置１００において、復号処理部３０は、ビットストリームバッファ３１、復号器３２、復号制御用マイクロコンピュータ３３などからなり、上記再生処理部２０により得られた再生データがビットストリームバッファ３１を介して復号器３２に供給され、上記再生データを復号して出力する。
次に、このような構成の再生装置１００において、図３に示すように磁気テープ５０を駆動して、動画再生(PB)モードから静止画再生(PB Pause)モードに遷移し、さらに、静止画再生(PB Pause)モードから動画再生(PB)モードに遷移する場合の動作について説明する。
【００２２】
この再生装置１００において、動画再生(PB)モードから静止画再生(PB Pause)モードに遷移するときの、テープ駆動用メカデッキ部１０、上記テープ駆動用メカデッキ部１０から再生信号が供給される再生信号処理部２０、上記再生信号処理部２０により得られる再生データが供給される復号処理部３０、これら各部を制御するシステムコントローラ４０の動作を図４に示す。
【００２３】
すなわち、動画再生(PB)モードから静止画再生(PB Pause)モードに遷移するとき、システムコントローラ４０は、バンク途中でテープ駆動を停止させず、画出し待ちを行い（Ａ１）、最後のバンクのデータを全て拾ってから停止する（Ａ２）。又は、最後のバンクを超えて次のバンクで停止させる。その後に、システムコントローラ４０は、再生信号処理部２０の再生制御用マイクロコンピュータ２４に対し静止画再生モード(PB Pause)への移行を要求し、また、復号処理部３０の復号制御用マイクロコンピュータ３３に対し再生エンド(PB END)の処理を要求する（Ａ３）。
【００２４】
復号処理部３０の復号制御用マイクロコンピュータ３３は、システムコントローラ４０からの静止画再生(PB Pause)モードへの移行要求を受け付けると、上記再生処理部２０により得られた再生データをビットストリームバッファ３１を介して復号器３２に供給するのを停止し、復号器３２により上記再生データを復号して出力するのを止め（Ｂ１）、次に復号すべきＤＴＳ(Decoding time stamp)をシステムコントローラ４０に教える（Ｂ２）。
【００２５】
また、再生信号処理部２０の再生制御用マイクロコンピュータ２４は、システムコントローラ４０からの再生エンド(PB END)要求を受け付けると、再生エンド処理を行い（Ｃ１）、再生エンド処理を行った旨をシステムコントローラ４０に通知する。
【００２６】
さらに、システムコントローラ４０は、再生信号処理部２０の再生制御用マイクロコンピュータ２４からの再生エンド処理を行った旨をシステムコントローラ４０に通知を受け付けると、静止画再生(PB Pause)モードへの移行を要求し（Ａ４）、その後に、最後又は次のバンクの先頭のＥＴＮ(Extended track number)を記憶する（Ａ５）。
【００２７】
そして、再生信号処理部２０の再生制御用マイクロコンピュータ２４は、システムコントローラ４０からの静止画再生(PB Pause)モードへの移行要求を受け付けると、静止画再生(PB Pause)モードの処理を行う。
【００２８】
ここで、ＥＴＮ(Extended track number)は、ＤＴＳ(Decoding time stamp)から変換可能なトラック番号であって、ＥＴＮとＤＴＳの間には、
ＤＴＳ＝（ＥＴＮ−１０）×（クロック数／１０）
なる関係がある。なお、式中、クロック数は、ＮＴＳＣの場合は３００３であり、ＰＡＬの場合は３６００である。
【００２９】
また、この再生装置１００において、このようにして遷移した静止画再生(PB Pause)モードにから動画再生(PB)モードに遷移するときの、テープ駆動用メカデッキ部１０、上記テープ駆動用メカデッキ部１０から再生信号が供給される再生信号処理部２０、上記再生信号処理部２０により得られる再生データが供給される復号処理部３０、これら各部を制御するシステムコントローラ４０の動作を図５に示す。
【００３０】
すなわち、静止画再生(PB Pause)モードにから動画再生(PB)モードに遷移するとき、システムコントローラ４０は、上述の動画再生(PB)モードから静止画再生(PB Pause)モードに遷移する制御において、記憶したＥＴＮ(Extended track number)と復号処理部３０の復号制御用マイクロコンピュータ３３から教えられたＤＴＳ(Decoding time stamp)を用いて、テープ戻し量と書き込み開始バンクを決定し（Ａ１１）、再生方向とは逆方向に磁気テープ５０を一旦巻き戻し、その後に、磁気テープ５０を再生方向に走行させ（Ａ１２）、再生信号処理部２０の再生制御用マイクロコンピュータ２４及び復号処理部３０の復号制御用マイクロコンピュータ３３に対し、動画再生(PB)モードへの移行を要求する（Ａ１３）。
【００３１】
これにより、磁気テープ５０に記録された同期再生のための時間情報(ETN)を読み出しながら、順方向へテープ駆動を再開する(助走)。
【００３２】
そして、システムコントローラ４０は、助走前または助走中に磁気テープ５０から読み出した同期再生のための時間情報(ETN)から復号時刻(DTS)を算出し、その結果に応じて、復号処理部３０と再生信号処理部２０の基準時間(STC)を巻き戻す（Ａ１４）。
【００３３】
再生信号処理部２０の再生制御用マイクロコンピュータ２４は、上記システムコントローラ４０により助走前又は助走中に巻き戻された基準時間(STC)からＳＴＣカウンタ２３による計測を再開し（Ｃ１１）、このＳＴＣカウンタ２３により計測した基準時間(STC)と復号時刻(DTS)とを比較し、その結果（STC≧DTS−VBV_Delay−ハードウェア遅延等によるオフセット）により、復号制御処理部３０に再生データの供給を再開する（Ｃ１２）。
【００３４】
ここで、VBV_Delayは、ビデオ遅延メモリ２２による遅延量である。
【００３５】
復号制御処理部３０の復号制御用マイクロコンピュータ３３は、上記再生信号処理部２０のＳＴＣカウンタ２３により助走前又は助走中に巻き戻した基準時間(STC)から計測を再開した基準時間(STC)をラッチし、ラッチした基準時間(STC)と復号時刻(DTS)と表示時刻(PTS: Presentation Time Stamp)とを比較した結果により、動画再生を再開する（Ｂ１１）。
【００３６】
このような処理を行う再生装置１００では、動画再生の再開時は 同期再生のための時間情報(ETN) (復号時刻(DTS)から変換可能なトラック番号)を用いて基準時間(STC)の巻き戻し量とテープ駆動タイミングを調整し、巻き戻された基準時間(STC)に基づいて動画再生が再開するので、それまで再生していた静止画と、再開された動画とは不連続にならない。
【００３７】
ここで、テープエンド方向に巻き戻す距離は、［（１ピクチャ当たりの平均トラック数）×（停止していたＥＴＮに再び戻るまでにバッファから消費したいピクチャ数）＋（テープパス走行安定待ち距離）＋（１倍速まで加速しトラッキングを合わせるまでに必要な距離）］で定まり、これにマージンを持たせるため、多めに巻き戻しても良い。
【００３８】
この方法により、停止していたＥＴＮに再び戻るまでにデコードで消費されるピクチャ数と、ふたたびバッファにデータ供給されるタイミングが調整され、バッファがオーバーフローすることを防ぐことができる。
【００３９】
あるいは、バッファから消費したいピクチャ数により、テープ戻し距離が変化する上記方法以外にも、停止していたＥＴＮに再び戻るまでにバッファから消費したいピクチャ数が消費されるよう、再びＰＢを始めるまでの時間を調整するため、テープ駆動に停止時間を設けても良い。
【図面の簡単な説明】
【００４０】
【図１】本発明を適用した再生装置の構成を示すブロック図である。
【図２】上記再生装置における磁気テープ上でのビデオデータの記録状態を模式的に示す図である。
【図３】上記再生装置において動画再生(PB)モードから静止画再生(PB Pause)モードに遷移し、静止画再生(PB Pause)モードから動画再生(PB)モードに遷移する場合のテープ駆動の状況を模式的に示す図である。
【図４】上記再生装置において、動画再生(PB)モードから静止画再生(PB Pause)モードに遷移するときの、各部の動作を模式的に示す図である。
【図５】上記再生装置において、静止画再生(PB Pause)モードにから動画再生(PB)モードに遷移するとき、各部の動作を模式的に示す図である。
【符号の説明】
【００４１】
１０  テープ駆動用メカデッキ部、１１  テープ走行系、１２  回転ヘッド、２０  再生信号処理部、２１ ＥＣＣバンクメモリ、２２  ビデオ遅延メモリ、２３  ＳＴＣカウンタ、２４  再生制御用マイクロコンピュータ、３０  復号処理部、３１  ビットストリームバッファ、３２  復号器、３３  復号制御用マイクロコンピュータ、４０  システムコントローラ、５０  磁気テープ、１００  再生装置
【図１】
2006067505.tif 000003
【図２】
2006067505.tif 000004
【図３】
2006067505.tif 000005
【図４】
2006067505.tif 000006
【図５】
2006067505.tif 000007